(57)【特許請求の範囲】
【請求項１】
使用時に先端を切断して注出孔を開口する注出口部をもち、表裏の合成樹脂フィルムの周縁部をシールしてなる柔軟なパウチにおいて、四角形状の中央板の両側に、四角形状の側板をヒンジを介してそれぞれ連設し、前記２本のヒンジのそれぞれに、１個以上の四角形状の切欠きを跨がらせて設け、前記切欠きのそれぞれの両側に対応する中央板の端縁部と側板の端縁部に、前記両側の側板を前記ヒンジを介して折り曲げたときに、係合し合う係合爪をそれぞれに対応させて設けた平板状で剛性をもつ合成樹脂製の開口維持部材を、前記注出口部の注出孔に挿着したことを特徴とする開口維持部材付パウチ。
【請求項２】
使用時に先端を切断して注出孔を開口する注出口部をもち、表裏の合成樹脂フィルムの周縁部をシールしてなる柔軟なパウチにおいて、四角形状の中央板の両側に、四角形状の側板をヒンジを介してそれぞれ連設し、前記２本のヒンジのそれぞれに、１個以上の四角形状の切欠きを跨がらせて設け、前記切欠きのそれぞれの中央板の端縁部に、前記両側の側板を前記ヒンジを介して折り曲げたときに、対応する側板の切欠きの断面と係合する係合突起を設けた平板状で剛性をもつ合成樹脂製の開口維持部材を、前記注出口部の注出孔に挿着したことを特徴とする開口維持部材付パウチ。
【請求項３】
前記注出口部の注出孔に挿着する開口維持部材の両側の側板の外側の側辺が、注出方向へ先細りの傾斜をもつことを特徴とする請求項１又は２記載の開口維持部材付パウチ。
【発明の詳細な説明】
【０００１】
【発明の属する技術分野】
本発明は、液体洗剤、トイレタリー、果汁飲料及び調味料などの詰替え用パウチに関するもので、詳しくは、内容物を注出し易い開口維持部材付パウチに関するものである。
【０００２】
【従来の技術】
近年、環境保全や省資源の立場から、各種の液体内容物に詰替え用容器が広く使用されるようになってきた。この詰替え用容器としては、使用時に注出口部の先端を切断して開口し、内容物を注出する合成樹脂フィルムからなる柔軟な注出口部付パウチがあるが、他の容器へ内容物を詰め替えるときに、注出口部の内容物の注出のし易さを改善するために、例えば、特開平８−２５３８号公報に記載されいる注出口部の注出孔を中空円筒状又は中空半円筒状に成形したものや、特開平９−２４９５６号公報に記載されている注出口部の注出孔に半硬質ないし硬質パイプを埋没したものなどが知られていた。
【０００３】
【発明が解決しようとする課題】
しかしながら、上述した従来の内容物の注出性を改善した注出口部付パウチは、内容物を充填する前に、パウチ本体は平坦であるが注出口部が立体構造になっているため、流通及び保管時の集積効率が悪く、また、内容物充填時に、充填機内でのパウチの搬送上のトラブルが発生し易く、このため、特殊な搬送装置などを必要とすることがあった。
【０００４】
本発明は、上述の従来の注出口部付パウチの問題を解決したものであり、注出口部が平坦で流通及び保管時の集積効率が良く、内容物充填機上でのパウチの搬送上のトラブルがなく、内容物注出時には、ワンタッチで注出口部の注出孔を注出し易い立体構造にできる開口維持部材付パウチを提供するものである。
【０００５】
【課題を解決するための手段】
すなわち、本発明の第１の発明は、図１（ａ）に示すように、使用時に先端を切断して注出孔（１１１）を開口する注出口部（１１０）をもち、表裏の合成樹脂フィルムの周縁部をシールしてなる柔軟なパウチ（１００）において、図１（ｂ）に示すように、四角形状の中央板（２１０）の両側に、四角形状の側板（２２０ａ，２２０ｂ）をヒンジ（２０１ａ，２０１ｂ）を介してそれぞれ連設し、前記２本のヒンジのそれぞれに、１個以上の四角形状の切欠き（２０３）を跨がらせて設け、前記切欠きのそれぞれの両側に対応する中央板の端縁部と側板の端縁部に、前記両側の側板を前記ヒンジを介して折り曲げたときに、係合し合う係合爪（２１１と２２１）をそれぞれに対応させて設けた平板状で剛性をもつ合成樹脂製の開口維持部材（２００）を、図１（ａ）に示すように、前記注出口部（１１０）の注出孔（１１１）に挿着したことを特徴とする開口維持部材付パウチ（１０）である。
【０００６】
次に、本発明の第２の発明は、図５（ａ）に示すように、使用時に先端を切断して注出孔（１１１）を開口する注出口部（１１０）をもち、表裏の合成樹脂フィルムの周縁部をシールしてなる柔軟なパウチ（１００）において、図５（ｂ）に示すように、四角形状の中央板（２１０）の両側に、四角形状の側板（２２０ａ，２２０ｂ）をヒンジ（２０１ａ，２０１ｂ）を介してそれぞれ連設し、前記２本のヒンジのそれぞれに、１個以上の四角形状の切欠き（２０３）を跨がらせて設け、前記切欠きのそれぞれの中央板の端縁部に、前記両側の側板を前記ヒンジを介して折り曲げたときに、対応する側板の切欠きの断面（２２２）と係合する係合突起（２１２）を設けた平板状で剛性をもつ合成樹脂製の開口維持部材（２００）を、図５（ａ）に示すように、前記注出口部（１１０）の注出孔（１１１）に挿着したことを特徴とする開口維持部材付パウチ（１０）である。
【０００７】
次に、本発明の第３の発明は、図４又は図８に示すように、前記注出口部の注出孔に挿着する開口維持部材（２００）の両側の側板（２２０ａ，２２０ｂ）の外側の側辺（２２３ａ，２２３ｂ）が、注出方向へ先細りの傾斜をもつことを特徴とする第１の発明又は第２に記載の開口維持部材付パウチである。
【０００８】
【作用】
本発明の開口維持部材付パウチは、内容物が充填されるまでは、開口維持部材を挿着する注出口部もパウチ本体と同様に比較的に平坦であるため、流通及び保管時の集積効率が良く、また、内容物充填機上でのパウチの搬送上のトラブルがなく、搬送のための特殊な装置を必要としない。
【０００９】
また、本発明の開口維持部材付パウチの注出口部に挿着された開口維持部材には、パウチの外側から指で折り曲げるためのヒンジが設けられており、また、形成された立体構造を維持するための係合爪や係合突起などが設けられており、内容物の注出するときに、立体構造になった剛性をもつ合成樹脂製の開口維持部材が、柔軟な合成樹脂フィルムから形成される注出口部を内側から筒状の開口状態に維持して内容物の流路を確保するため、パウチの注出口部からの内容物の注出が良好となる。
【００１０】
また、注出口部の注出孔に挿着する開口維持部材の両側の側板の外側の側辺が注出方向へ先細りの傾斜をもつ本発明の開口維持部材付パウチは、パウチの注出口部の先端を細くすることができるため、狭い注入口のもつ容器へ内容物を移し替えるときに、内容物の注入がし易くなる。
【００１１】
【発明の実施の形態】
本発明の開口維持部材付パウチは、使用時に先端を切断して注出孔を開口する注出口部をもち、表裏の合成樹脂フィルムの周縁部をシールしてなる柔軟なパウチの注出口部の注出孔に、折り曲げ可能で平板状で適度の剛性をもつ開口維持部材を挿着し、内容物の注出時に、開口維持部材を折り曲げて係合して立体構造にするものである。この開口維持部材は、使用目的に適応した剛性をもつポリエチレン、ポリプロピレンなどの熱可塑性樹脂を用いて、射出成形法により作製するものであり、パウチの注出口部の内面に、部分的に接着剤で接着するか又は熱融着して、パウチの注出口部内に挿着するものである。
【００１２】
そして、上述のパウチは、通常では、延伸ポリエステルフィルム層／ポリエチレン層構成、延伸ポリエステルフィルム層／無延伸ポリプロピレンフィルム層構成、ナイロンフィルム層／ポリエチレン層構成、ナイロンフィルム層／無延伸ポリプロピレンフィルム層構成、ナイロンフィルム層／アルミニウム箔層／ポリエチレン層構成、ナイロンフィルム層／アルミニウム箔層／無延伸ポリプロピレンフィルム層構成、延伸ポリエステルフィルム層／延伸ナイロンフィルム層／ポリエチレン層構成、延伸ポリエステルフィルム層／延伸ナイロンフィルム層／無延伸ポリプロピレンフィルム層構成などの積層フィルムを表裏重ね合わせて、その周縁部に、図１（ａ）又は図５（ａ）に示すように、ヒートシール法などの熱融着法によりシール部（１０１）を設けて作製するものである。使用目的によっては、単層フィルムを使用してもよい。なお、注出口部（１１０）には、通常、開封のためのノッチ（１１１）を形成するものであり、パウチの形態は、通常周知の自立しない平パウチでも、底部に底部材を設けて自立するスタンディングパウチでもよい。
【００１３】
本発明の一実施形態の開口維持部材付パウチ（１０）は、例えば、図１（ａ）に示すパウチ（１００）の注出口部（１１０）の注出孔（１１１）に、図１（ｂ）に示すように、四角形状の中央板（２１０）の両側に、四角形状の側板（２２０ａ，２２０ｂ）をヒンジ（２０１ａ，２０１ｂ）を介してそれぞれ連設し、これら２本のヒンジのそれぞれに、１個以上（図では、２個ずつ）の四角形状の切欠き（２０３）を跨がらせて設け、これらの切欠きのそれぞれの左右両側に対応する中央板の端縁部と側板の端縁部に、両側の側板をヒンジを介して折り曲げたときに、係合し合う係合爪（２１１と２２１）をそれぞれに対応させて設けた平板状で剛性をもつ合成樹脂製の開口維持部材（２００）を、図２に示すように、注出口部（１１０）の内面に、中央板（２１０）の下面を、通常では熱融着して挿着して作製するものである。そして、内容物を注出するときに、注出口部の先端を切断して注出孔を開口し、図３に示すように、開口維持部材（２００）のヒンジ（２０１）をパウチ（１００）の外側から指で押圧して、両側の側板（２２０）を中央板（２１０）に対してほぼ直角に内側へ折り曲げ、切欠きの中央板の端縁部の係合爪（２１１）と側板の端縁部の係合爪（２２１）とを係合させると、平板状だった開口維持部材（２００）がワンタッチで立体構造となり、パウチ（１００）の注出口部（１００）の注出孔が開口した状態に維持されて内容物の流路（１１２）が確保されるものである。
【００１４】
次に、本発明の他の一実施形態の開口維持部材付パウチ（１０）は、例えば、図５（ａ）に示すパウチ（１００）の注出口部（１１０）の注出孔（１１１）に、図５（ｂ）に示すように、四角形状の中央板（２１０）の両側に、四角形状の側板（２２０ａ，２２０ｂ）をヒンジ（２０１ａ，２０１ｂ）を介してそれぞれ連設し、これら２本のヒンジのそれぞれに、１個以上（図では、２個ずつ）の四角形状の切欠き（２０３）を跨がらせて設け、これら切欠きのそれぞれの中央板の端縁部に、両側の側板をヒンジを介して折り曲げたときに、対応する側板の切欠きの断面（２２２）と係合する係合突起（２１２）を設けた平板状で剛性をもつ合成樹脂製の開口維持部材（２００）を、図６に示すように、注出口部（１１０）の内面に、中央板（２１０）の下面を、通常では熱融着して挿着して作製するものである。そして、内容物を注出するときに、注出口部の先端を切断して注出孔を開口し、図７に示すように、開口維持部材（２００）のヒンジ（２０１）をパウチ（１００）の外側から指で押圧して、両側の側板（２２０）を中央板（２１０）に対してほぼ直角に内側へ折り曲げ、切欠きの中央板の端縁部の係合突起（２１２）と側板の切欠きの断面（２２２）とを係合させると、平板状だった開口維持部材（２００）がワンタッチで立体構造となり、パウチ（１００）の注出口部（１１０）の注出孔が開口した状態に維持されて内容物の流路（１１２）が確保されるものである。
【００１５】
また、狭い注入口のもつ他の容器へ内容物を移し替え易くするために、注出口部の先端を細くしたパウチの注出口部の内面に、図４又は図８に示すように、両側の側板（２２０ａ，２２０ｂ）の外側の側辺（２２３ａ，２２３ｂ）が注出方向へ先細りの傾斜をもつ開口維持部材（２００）を、中央板（２１０）の下面を、通常では熱融着して挿着してしてもよい。
【００１６】
上述の本実施形態の開口維持部材付パウチは、実用テストにおいては、流通及び保管時の集積効率が良く、内容物充填機上でのパウチの搬送に係わるトラブルの発生がなく充填効率が良好であり、また、使用時における注出口部からの内容物の注出状態が良好であった。
【００１７】
なお、パウチに形成する注出口部も上述の実施形態例のようなパウチの角部に斜め方向に突出する形態のほかに、パウチの上部角部又は上部中央部に上方向に突出する形態、パウチの側部角部、側部中央部、側部下部に横方向に突出する形態とすることもできる。
【００１８】
また、パウチの注出口部に開口維持部材を収容するパウチの表面方向へ膨らむ窪みを形成することもできる。この窪みは、パウチの表裏フィルムの一方若しくは両方（好ましくは本発明のパウチを製造する際に開口維持部材を置く側のフィルム）に、開口維持部材の外周形状と等しいか大であり、この開口維持部材を収容可能な大きさで、その深さは開口維持部材の厚み相当か、それ以上かそれ以下にして設けるものである。
【００１９】
【発明の効果】
本発明の開口維持部材付パウチは、開口維持部材を挿着する注出口部もパウチ本体と同様に比較的に平坦であり、流通及び保管時の集積効率が良く、また、通常の内容物充填機でもパウチの搬送上のトラブルを発生しない。
【００２０】
また、本発明の開口維持部材付パウチは、使用時に注出口部の先端を切断して開封し、パウチの外側から指で注出孔に挿着されている開口維持部材を、ヒンジを折り曲げて係合爪や係合突起で係合すると、ワンタッチで立体構造に変えることができ、この立体構造の開口維持部材が流路を確保して、注出孔を開口状態に維持するため、内容物を注出口部から注出し易い。
【００２１】
さらに、狭い注入口のもつ容器へ内容物を移し替え易いように、パウチの注出口部の先端を細くすることもできる。
【図面の簡単な説明】
【図１】（ａ）は、本発明の一実施形態の開口維持部材付パウチの注出口部の構造を示す説明図であり、（ｂ）は、その開口維持部材の平面図である。
【図２】図１に示す開口維持部材付パウチのＡ−Ａ’線断面図である。
【図３】図１に示す開口維持部材付パウチの内容物を注出するときの注出口部内の状態を示す断面図である。
【図４】本発明の他の一実施形態の開口維持部材付パウチの注出口部に挿着する開口維持部材の平面図である。
【図５】（ａ）は、本発明の他の一実施形態の開口維持部材付パウチの注出口部の構造を示す説明図であり、（ｂ）は、その開口維持部材の平面図である。
【図６】図５に示す開口維持部材付パウチのＢ−Ｂ’線断面図である。
【図７】図５に示す開口維持部材付パウチの内容物を注出するときの注出口部内の状態を示す断面図である。
【図８】本発明の他の一実施形態の開口維持部材付パウチの注出口部に挿着する開口維持部材の平面図である。
【符号の説明】
１０……開口維持部材付パウチ
１００……パウチ
１０１……シール部
１１０……注出口部
１１１……注出孔
１１２……流路
１１３……ノッチ
２００……開口維持部材
２０１……ヒンジ
２０２……切込み
２０３……切欠き
２０４……接着
２１０……中央板
２１１，２２１……係合爪
２１２……係合突起
２２０……側板
２２２……断面
２２３……側辺
【図１】
0003608357.tif 000002
【図２】
0003608357.tif 000003
【図３】
0003608357.tif 000004
【図４】
0003608357.tif 000005
【図５】
0003608357.tif 000006
【図６】
0003608357.tif 000007
【図７】
0003608357.tif 000008
【図８】
0003608357.tif 000009